(57)【特許請求の範囲】
【請求項１】
グローブと口金とを有する電球形ランプであって、
前記グローブの内方に向かって延びるように設けられた金属製の支柱と、
前記グローブ内に配置され、前記支柱に固定された発光モジュールとを備え、
前記発光モジュールは、透光性の基台と当該基台の上に実装された発光素子とを有し、
前記支柱は、前記発光モジュールの前記基台の中心位置に固定される固定面を有し、
前記発光モジュール及び前記支柱は、平面視したときに、前記固定面と前記発光素子とが重ならないように配置されている、
電球形ランプ。
【請求項２】
前記基台は、長尺状の矩形基板であり、
前記発光素子は、複数個を一つの素子列として前記基台の長手方向に沿って複数列で実装されており、
前記支柱は、前記固定面が複数の前記素子列における一の素子列と他の素子列との間に位置するように配置されている、
請求項１に記載の電球形ランプ。
【請求項３】
前記発光モジュールは、さらに、前記発光素子を封止する封止部材を備え、
前記封止部材は、前記発光素子が発する光の波長を変換する波長変換材と、前記波長変換材を含有する樹脂とを有し、
前記封止部材は、平面視したときに、前記固定面と重ならないように形成されている、
請求項１に記載の電球形ランプ。
【請求項４】
前記基台は、長尺状の矩形基板であり、
前記封止部材は、前記基台の長手方向に沿って複数列で形成されており、
前記支柱は、前記固定面が複数列の前記封止部材における一の封止部材と他の封止部材との間に位置するように配置されている、
請求項３に記載の電球形ランプ。
【請求項５】
前記固定面は、前記基台の長手方向に沿って長尺をなす形状である、
請求項１〜４のいずれか１項に記載の電球形ランプ。
【請求項６】
前記発光モジュールは、平面視したときに、長尺状であり、
前記支柱は、主軸部と、前記主軸部と前記発光モジュールとの間に位置し、前記固定面を有する固定部とを有し、
前記固定面の前記発光モジュールの長手方向における長さは、前記主軸部の前記発光モジュールの長手方向における長さよりも長く、
前記固定面の前記発光モジュールの短手方向における長さは、前記主軸部の前記発光モジュールの短手方向における長さよりも短い、
請求項１又は３に記載の電球形ランプ。
【請求項７】
前記固定部の側面には、前記発光モジュールに接続され、前記支柱の軸に平行なストレート面と、前記ストレート面の下部に接続され、口金側に向かって前記支柱の軸から離れるように湾曲する湾曲面とが含まれる、
請求項６に記載の電球形ランプ。
【請求項８】
前記固定部の側面には、口金側に向かって前記支柱の軸から離れるように傾斜する傾斜面が含まれる、
請求項６に記載の電球形ランプ。
【請求項９】
前記基台は、Ａｌ２Ｏ３、ＡｌＮ又はＭｇＯからなるセラミックス基板である、
請求項１〜８のいずれか１項に記載の電球形ランプ。
【請求項１０】
前記支柱は、アルミニウムによって構成されている、
請求項１〜９のいずれか１項に記載の電球形ランプ。
【請求項１１】
さらに、前記発光素子に電力を供給するための２本のリード線を備え、
前記２本のリード線は、前記基台に形成された金属配線と電気的に接続されている、
請求項１〜１０のいずれか１項に記載の電球形ランプ。
【請求項１２】
さらに、
前記発光素子に電力を供給するためのリード線と、
前記発光素子を点灯させるための点灯回路を収納する絶縁ケースと、を備える、
請求項１〜１０のいずれか１項に記載の電球形ランプ。
【請求項１３】
請求項１〜１２のいずれか１項に記載の電球形ランプを備える照明装置。
【発明の詳細な説明】
【技術分野】
【０００１】
本発明は、電球形ランプ及び照明装置に関し、例えば、発光ダイオード（ＬＥＤ：Ｌｉｇｈｔ  Ｅｍｉｔｔｉｎｇ  Ｄｉｏｄｅ）を用いた電球形ＬＥＤランプ及びこれを用いた照明装置に関する。
【背景技術】
【０００２】
ＬＥＤ等の半導体発光素子は、小型、高効率及び長寿命であることから、従来から知られる蛍光灯や白熱電球等の各種ランプにおける新しい光源として期待されており、ＬＥＤを用いたランプ（ＬＥＤランプ）の研究開発が進められている。【０００３】
ＬＥＤランプとしては、ガラスバルブ内に発光管を備えた電球形蛍光灯やフィラメントコイルを用いた白熱電球に代替する電球形のＬＥＤランプ（電球形ＬＥＤランプ）、あるいは、直管形蛍光灯に代替する直管形のＬＥＤランプ（直管形ＬＥＤランプ）等がある。【０００４】
例えば、特許文献１には、従来の電球形ＬＥＤランプが開示されている。図１３は、特許文献１に開示された従来の電球形ＬＥＤランプの断面図である。【０００５】
図１３に示すように、従来の電球形ＬＥＤランプ１００は、半球状のグローブである透光性のカバー１１０、口金１３０及び金属製筐体である外郭部材１９０を備える。【０００６】
外郭部材１９０は、外部に露出する周部１９１と、この周部１９１に一体に形成された円板状の光源取り付け部１９２と、周部１９１の内側に形成された凹部１９３とを有する。光源取り付け部１９２の上面には、基台に実装された複数のＬＥＤからなるＬＥＤモジュール１２０が取り付けられている。凹部１９３の内面には、その内面形状に沿って形成された絶縁部材１６０が設けられており、絶縁部材１６０の内部には、ＬＥＤを点灯させるための点灯回路１８０が収容されている。【０００７】
このように構成された従来の電球形ＬＥＤランプ１００によれば、光源取り付け部１９２と周部１９１とが一体に成形された外郭部材１９０（金属製筐体）を用いているので、この外郭部材１９０がＬＥＤで発生した熱を外部に放出するためのヒートシンクとして機能する。これにより、ＬＥＤで発生した熱を光源取り付け部１９２から周部１９１に向かって効率良く熱伝導させることができる。この結果、ＬＥＤの温度上昇が抑制されるので、ＬＥＤの光出力の低下を抑制することができる。
【先行技術文献】
【特許文献】
【０００８】
【特許文献１】特開２００６−３１３７１７号公報
【発明の概要】
【発明が解決しようとする課題】
【０００９】
しかしながら、図１３に示す従来の電球形ＬＥＤランプ１００では、円板状の光源取り付け部１９２上にＬＥＤモジュール１２０が設けられているため、口金１３０側への光が外郭部材１９０によって遮られる。このため、従来の電球形ＬＥＤランプ１００は、光の広がり方が白熱電球と異なってしまう。つまり、従来の電球形ＬＥＤランプ１００の構造では、白熱電球と同様の配光特性を得ることが難しく、広い配光角を実現することが難しい。【００１０】
そこで、図１４に示すように、ＬＥＤモジュール２２０の光をできるだけ口金２３０側にも到達させるために、白熱電球のグローブ（バルブ）と同形状のグローブ２１０を用いて、ＬＥＤモジュール２２０のＬＥＤ実装基板を透光性基板にするとともに、当該ＬＥＤモジュール２２０を支柱２４０に保持させた構成の電球形ＬＥＤランプ２００が考えられる。この場合、図１３に示す従来の電球形ＬＥＤランプ１００と比べて、口金側に向かうＬＥＤモジュール２２０の光の量を多くすることができるので、配光角を拡大させることが可能となる。【００１１】
また、図１４に示す電球形ＬＥＤランプ２００では、ＬＥＤモジュール２２０から発生する熱を放熱させるために、ＬＥＤモジュール２２０を保持する支柱２４０としては金属製のものが用いられる。このため、ＬＥＤモジュール２２０が発する光のうち透光性基板を透過して口金側に向かう光は金属製の支柱２４０によって吸収されてしまう。したがって、図１４に示す電球形ＬＥＤランプ２００では、ＬＥＤモジュール２２０の口金側（裏面）方向への光の取り出し効率が低いという問題がある。【００１２】
本発明は、このような問題を解決するためになされたものであり、ＬＥＤモジュールの口金側への光の取り出し効率を向上させることのできる電球形ランプ及び照明装置を提供することを目的とする。
【課題を解決するための手段】
【００１３】
上記課題を解決するために、本発明に係る電球形ランプの一態様は、グローブと口金とを有する電球形ランプであって、前記グローブの内方に向かって延びるように設けられた金属製の支柱と、前記グローブ内に配置され、前記支柱に固定された発光モジュールとを備え、前記発光モジュールは、透光性の基台と当該基台の上に実装された発光素子とを有し、前記支柱は、前記発光モジュールの前記基台と固定される固定面を有し、前記発光モジュール及び前記支柱は、平面視したときに、前記固定面と前記発光素子とが重ならないように配置されていることを特徴とする。【００１４】
さらに、本発明に係る電球形ランプの一態様において、前記発光モジュールは、さらに、前記発光素子を封止する封止部材を備え、前記封止部材は、前記発光素子が発する光の波長を変換する波長変換材と、前記波長変換材を含有する樹脂とを有し、前記封止部材は、平面視したときに、前記固定面と重ならないように形成されている。【００１５】
さらに、本発明に係る電球形ランプの一態様において、前記発光モジュールは、平面視したときに、長尺状であり、前記支柱は、主軸部と、前記主軸部と前記発光モジュールとの間に位置し、前記固定面を有する固定部とを有し、前記固定面の前記発光モジュールの長手方向における長さは、前記主軸部の前記発光モジュールの長手方向における長さよりも長く、前記固定面の前記発光モジュールの短手方向における長さは、前記主軸部の前記発光モジュールの短手方向における長さよりも短くなるように構成してもよい。【００１６】
さらに、本発明に係る電球形ランプの一態様において、前記固定部の側面には、前記発光モジュールに接続され、前記支柱の軸に平行なストレート面と、前記ストレート面の下部に接続され、口金側に向かって前記支柱の軸から離れるように湾曲する湾曲面とが含まれるように構成してもよい。【００１７】
さらに、本発明に係る電球形ランプの一態様において、前記固定部の側面には、口金側に向かって前記支柱の軸から離れるように傾斜する傾斜面が含まれるように構成してもよい。【００１８】
さらに、本発明に係る電球形ランプの一態様において、前記基台は、Ａｌ２Ｏ３、ＡｌＮ又はＭｇＯからなるセラミックス基板である、とすることができる。【００１９】
さらに、本発明に係る電球形ランプの一態様において、前記支柱は、アルミニウムによって構成されている、とすることができる。【００２０】
さらに、本発明に係る電球形ランプの一態様において、前記発光素子に電力を供給するためのリード線と、前記発光素子を点灯させるための点灯回路を収納する絶縁ケースと、を備えるように構成することができる。【００２１】
また、本発明に係る照明装置の一態様は、上記いずれかの電球形ランプを備える照明装置であることを特徴とする。
【発明の効果】
【００２２】
本発明によれば、発光モジュールの口金側への光の取り出し効率を向上させることができる電球形ランプ及び照明装置を実現することができる。
【図面の簡単な説明】
【００２３】
【図１】図１は、本発明の実施の形態に係る電球形ランプの側面図である。
【図２】図２は、本発明の実施の形態に係る電球形ランプの分解斜視図である。
【図３】図３は、本発明の実施の形態に係る電球形ランプの断面図である。
【図４】図４（ａ）は、本発明の実施の形態に係る電球形ランプにおけるＬＥＤモジュールの平面図であり、図４（ｂ）は、図４（ａ）のＡ−Ａ’線に沿って切断した同ＬＥＤモジュールの断面図である。
【図５】図５は、本発明の実施の形態に係る電球形ランプのＬＥＤモジュールにおけるＬＥＤチップ周辺の拡大断面図である。
【図６】図６は、本発明の実施の形態に係る電球形ランプにおける支柱及び支持台の構成を示す斜視図である。
【図７】図７は、本発明の実施の形態に係る電球形ランプにおける支柱及び支持台の構成を示すであり、（ａ）は上面図、（ｂ）は正面図、（ｃ）は側面図である。
【図８】図８は、本発明の実施の形態に係る電球形ランプにおけるＬＥＤモジュールと支柱との接続関係を説明するための図である。
【図９】図９は、本発明の実施の形態に係る電球形ランプの点灯時の状態を示す図である。
【図１０】図１０は、本発明の実施の形態に係る電球形ランプにおける固定部の長さと光束との関係を説明するための図である。
【図１１Ａ】図１１Ａは、本発明の変形例１に係る電球形ランプにおけるＬＥＤモジュール及び支柱の構成を示す図である。
【図１１Ｂ】図１１Ｂは、本発明の変形例２に係る電球形ランプにおけるＬＥＤモジュール及び支柱の構成を示す図である。
【図１１Ｃ】図１１Ｃは、本発明の変形例３に係る電球形ランプにおけるＬＥＤモジュール及び支柱の構成を示す図である。
【図１１Ｄ】図１１Ｄは、本発明の変形例４に係る電球形ランプにおけるＬＥＤモジュール及び支柱の構成を示す図である。
【図１２】図１２は、本発明に係る照明装置の概略断面図である。
【図１３】図１３は、特許文献１に開示された従来の電球形ＬＥＤランプの断面図である。
【図１４】図１４は、電球形ＬＥＤランプの一例の構成を示す断面図である。
【発明を実施するための形態】
【００２４】
以下、本発明の実施の形態に係る電球形ランプ及び照明装置について、図面を参照しながら説明する。なお、以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。なお、各図は、模式図であり、必ずしも厳密に図示したものではない。
【００２５】
（電球形ランプの全体構成）
まず、本実施の形態に係る電球形ランプ１の全体構成について、図１〜図３を参照しながら説明する。
【００２６】
図１は、本発明の実施の形態に係る電球形ランプの側面図である。また、図２は、本発明の実施の形態に係る電球形ランプの分解斜視図である。また、図３は、本発明の実施の形態に係る電球形ランプの断面図である。
【００２７】
図１〜図３に示すように、本発明の実施の形態に係る電球形ランプ１は、電球形蛍光灯又は白熱電球の代替品となる電球形ＬＥＤランプであって、透光性のグローブ１０と、光源であるＬＥＤモジュール２０と、電力を受電する口金３０と、金属製の支柱４０とを備える。さらに、本実施の形態に係る電球形ランプ１は、支持台５０と、樹脂ケース６０と、リード線７０と、点灯回路８０とを備える。本実施の形態における電球形ランプ１は、グローブ１０と樹脂ケース６０（第１ケース部６１）と口金３０とによって外囲器が構成されている。
【００２８】
以下、本発明の実施の形態に係る電球形ランプ１の各構成要素について、図１〜図３を参照しながら詳細に説明する。
【００２９】
（グローブ）
図１〜図３に示すように、グローブ１０は、ＬＥＤモジュール２０を収納するとともに、ＬＥＤモジュール２０からの光をランプ外部に透光する。本実施の形態において、グローブ１０は、可視光に対して透明なシリカガラス製のガラスバルブ（クリアバルブ）である。したがって、グローブ１０内に収納されたＬＥＤモジュール２０は、グローブ１０の外側から視認することができる。
【００３０】
本実施の形態において、グローブ１０の形状は、一端が球状に閉塞され、他端に開口部１１を有する形状である。言い換えると、グローブ１０の形状は、中空の球の一部が、球の中心部から遠ざかる方向に伸びながら狭まったような形状であり、球の中心部から遠ざかった位置に開口部１１が形成されている。このような形状のグローブ１０としては、一般的な白熱電球と同様の形状のガラスバルブを用いることができる。例えば、グローブ１０として、Ａ形、Ｇ形又はＥ形等のガラスバルブを用いることができる。
【００３１】
なお、グローブ１０は、必ずしも可視光に対して透明である必要はなく、グローブ１０に光拡散機能を持たせてもよい。例えば、シリカや炭酸カルシウム等の光拡散材を含有する樹脂や白色顔料等をグローブ１０の内面又は外面の全面に塗布することによって乳白色の光拡散膜を形成してもよい。また、グローブ１０は、シリカガラス製である必要もない。例えば、アクリル等の樹脂材料によって作製されたグローブ１０を用いても構わない。
【００３２】
（ＬＥＤモジュール）
ＬＥＤモジュール２０は、発光素子を有する発光モジュールであって、グローブ１０内に収納される。ＬＥＤモジュール２０は、グローブ１０によって形成される球形状の中心位置（例えば、グローブ１０の内径が大きい径大部分の内部）に配置されることが好ましい。このように、グローブ１０の中心位置にＬＥＤモジュール２０が配置されることにより、電球形ランプ１の配光特性は、従来のフィラメントコイルを用いた一般白熱電球と近似した配光特性となる。
【００３３】
また、ＬＥＤモジュール２０は、支柱４０によってグローブ１０内の中空に保持されており、リード線７０から電力が供給されることにより発光する。
【００３４】
ここで、本発明の実施の形態に係るＬＥＤモジュール２０の各構成要素について、図４を用いて説明する。図４の（ａ）は、本発明の実施の形態に係る電球形ランプにおけるＬＥＤモジュールの平面図であり、図４の（ｂ）は、（ａ）のＡ−Ａ’線に沿って切断した同ＬＥＤモジュールの断面図である。
【００３５】
図４の（ａ）及び（ｂ）に示すように、ＬＥＤモジュール２０は、透光性の基台２１と、ＬＥＤチップ２２と、封止部材２３と、金属配線２４とを有する。本実施の形態におけるＬＥＤモジュール２０は、ベアチップが直接基台２１上に実装されたＣＯＢ（Ｃｈｉｐ  Ｏｎ  Ｂｏａｒｄ）構造である。以下、ＬＥＤモジュール２０の各構成要素について詳述する。
【００３６】
まず、基台２１について説明する。本実施の形態において、基台２１は、ＬＥＤチップ２２を実装するためのＬＥＤ実装基板であって、可視光に対して透光性を有する部材で構成されている。
【００３７】
なお、基台２１は、透過率が高い部材によって作製されたものを用いることが好ましい。これにより、ＬＥＤチップ２２の光は、基台２１の内部を透過し、ＬＥＤチップ２２が実装されていない面（裏面）からも出射される。したがって、ＬＥＤチップ２２が基台２１の一方の面（表面）だけに実装された場合であっても、他方の面（裏面）からも光が出射され、白熱電球と近似した配光特性を得ることが可能となる。本実施の形態では、基台２１として、９０％以上の透過率を有するアルミナ（Ａｌ２Ｏ３）からなるセラミックス基板を用いた。なお、基台２１としては、ＡｌＮ又はＭｇＯからなるセラミックス基板を用いることもできる。また、基台２１としては、平面視（グローブ１０の頂部から見たとき）が長尺状となっている矩形基板を用いている。これにより、ＬＥＤモジュール２０も平面視の形状が長尺状となっている。
【００３８】
また、基台２１には、貫通孔２１ａ、２１ｂが設けられている。貫通孔２１ａは、基台２１と支柱４０とを嵌合させるために設けられている。本実施の形態において、貫通孔２１ａは、基台２１の中心から長尺方向にずらした位置に、平面視が矩形状に形成されている。一方、貫通孔２１ｂは、２本のリード線７０との電気的接続を行うために２つ設けられており、本実施の形態では、基台２１の長手方向の両端部に設けられている。
【００３９】
次に、ＬＥＤチップ２２について説明する。ＬＥＤチップ２２は、半導体発光素子の一例であって、単色の可視光を発するベアチップである。本実施の形態では、通電されれば青色光を発する青色ＬＥＤチップが用いられる。本実施の形態において、ＬＥＤチップ２２は、基台２１の一方の面（表面）のみに実装されており、複数個（例えば１２個）のＬＥＤチップ２２を一列とする素子列が直線状に４列配置されている。
【００４０】
なお、本実施の形態では、複数のＬＥＤチップ２２を実装したが、ＬＥＤチップ２２の個数は、電球形ランプの用途に応じて適宜変更されればよい。例えば、豆電球代替の用途においては、基台２１上に実装されるＬＥＤチップ２２は１個であってもよい。また、本実施の形態では、複数のＬＥＤチップ２２は基台２１上に４列で実装したが、１列としてもよく、あるいは、４列以外の複数列としても構わない。但し、本発明は、ＬＥＤチップ２２の数が多い高出力用のＬＥＤモジュールに適している。
【００４１】
ここで、本実施の形態で用いられるＬＥＤチップ２２について、図５を用いて説明する。図５は、本発明の実施の形態に係る電球形ランプのＬＥＤモジュールにおけるＬＥＤチップ周辺の拡大断面図である。
【００４２】
図５に示すように、ＬＥＤチップ２２は、サファイア基板２２ａと、当該サファイア基板２２ａ上に積層された、互いに異なる組成からなる複数の窒化物半導体層２２ｂとを有する。
【００４３】
窒化物半導体層２２ｂの上面の端部には、カソード電極２２ｃとアノード電極２２ｄとが設けられている。また、カソード電極２２ｃ及びアノード電極２２ｄの上には、ワイヤーボンド部２２ｅ、２２ｆがそれぞれ設けられている。
【００４４】
互いに隣り合うＬＥＤチップ２２において一方のＬＥＤチップ２２のカソード電極２２ｃと他方のＬＥＤチップ２２のアノード電極２２ｄとは、ワイヤーボンド部２２ｅ、２２ｆを介して、金ワイヤー２５により電気的に直列に接続されている。各ＬＥＤチップ２２は、サファイア基板２２ａ側の面が基台２１の実装面と対向するように、透光性のチップボンディング材２６により基台２１に実装されている。チップボンディング材２６には、酸化金属からなるフィラーを含有したシリコーン樹脂などを使用できる。チップボンディング材２６に透光性の材料を使用することにより、ＬＥＤチップ２２のサファイア基板２２ａ側の面とＬＥＤチップ２２の側面とから出る光の損失を低減することができ、チップボンディング材２６による影の発生を防ぐことができる。
【００４５】
図４に戻り、次に、封止部材２３について説明する。封止部材２３は、複数のＬＥＤチップ２２一列分を一括封止するように直線状に形成されている。本実施の形態では、ＬＥＤチップ２２が４列に実装されているので、４本の封止部材２３が形成される。また、封止部材２３は、光波長変換材である蛍光体を含み、ＬＥＤチップ２２からの光を波長変換する波長変換層としても機能する。封止部材２３としては、シリコーン樹脂に所定の蛍光体粒子（不図示）と光拡散材（不図示）とを分散させた蛍光体含有樹脂を用いることができる。
【００４６】
蛍光体粒子としては、ＬＥＤチップ２２が青色光を発光する青色ＬＥＤチップである場合、白色光を得るために、例えばＹＡＧ系の黄色蛍光体粒子を用いることができる。これにより、ＬＥＤチップ２２が発した青色光の一部は、封止部材２３に含まれる黄色蛍光体粒子によって黄色光に波長変換される。そして、黄色蛍光体粒子に吸収されなかった青色光と、黄色蛍光体粒子によって波長変換された黄色光とは、封止部材２３中で拡散及び混合されることにより、封止部材２３から白色光となって出射される。また、光拡散材としては、シリカなどの粒子が用いられる。なお、本実施の形態では、透光性を有する基台２１を用いているので、封止部材２３から出射された白色光は、基台２１の内部を透過し、基台２１の裏面からも出射される。
【００４７】
このように構成される封止部材２３は、例えば、波長変換材を含む未硬化のペースト状の封止部材２３を、ディスペンサーによって塗布して硬化させることによって形成することができる。
【００４８】
なお、封止部材２３は、必ずしもシリコーン樹脂によって形成する必要はなく、フッ素系樹脂などの有機材のほか、低融点ガラス、ゾルゲルガラス等の無機材によって形成してもよい。また、基台２１の裏面側に向かう光を波長変換するために、ＬＥＤチップ２２と基台２１との間あるいは基台２１の裏面に、第２波長変換材として、蛍光体粒子とガラス等の無機結合材（バインダー）とからなる焼結体膜（蛍光体膜）をさらに形成しても構わない。このように蛍光体膜（第２波長変換材）をさらに形成することにより基台２１の両面から白色光を放出することができる。
【００４９】
次に、金属配線２４について説明する。金属配線２４は、ＬＥＤ実装面（表面）にパターン形成されたＡｇ等の金属からなる配線であり、リード線７０からＬＥＤモジュール２０に給電された電力を各ＬＥＤチップ２２に供給する。各ＬＥＤチップ２２は、金ワイヤー２５を介して金属配線２４と電気的に接続されている。
【００５０】
なお、貫通孔２１ｂの周囲に形成された金属配線２４は給電部となっている。２本のリード線７０の先端部は、貫通孔２１ｂに挿通されており、半田によって金属配線２４と電気的及び物理的に接続されている。
【００５１】
（口金）
図１〜図３に示すように、口金３０は、外部からＬＥＤモジュール２０のＬＥＤを発光させるための電力を受電する受電部であって、例えば、照明器具のソケットに取り付けられる。電球形ランプ１が点灯した場合に、口金３０は、照明器具のソケットから電力を受ける。本実施の形態における口金３０は二接点によって交流電力を受電し、口金３０で受電した電力はリード線を介して点灯回路８０の電力入力部に入力される。
【００５２】
口金３０は、Ｅ形であり、その外周面には照明装置のソケットに螺合させるための螺合部が形成されている。また、口金３０の内周面には、樹脂ケース６０に螺合させるための螺合部が形成されている。なお、口金３０は、金属製の有底筒体形状である。
【００５３】
口金３０の種類は、特に限定されるものではないが、例えばねじ込み型のエジソンタイプ（Ｅ型）の口金を用いることができ、Ｅ２６形又はＥ１７形等が挙げられる。
【００５４】
（支柱）
図１〜図３に示すように、支柱４０は、グローブ１０の開口部１１の近傍からグローブ１０の内方に向かって延びるように設けられた金属製のステムである。
【００５５】
支柱４０は、ＬＥＤモジュール２０を保持する保持部材として機能し、支柱４０の一端はＬＥＤモジュール２０に接続され、支柱４０の他端は支持台５０に接続されている。
【００５６】
また、支柱４０は、金属材料によって構成されており、ＬＥＤモジュール２０で発生する熱を放熱させるための放熱部材としても機能する。本実施の形態において、支柱４０は、熱伝導率が２３７［Ｗ／ｍ・Ｋ］であるアルミニウムによって構成されている。このように、支柱４０が金属材料によって構成されているので、ＬＥＤモジュール２０の熱は基台２１を介して支柱４０に効率良く伝導する。これにより、ＬＥＤモジュール２０の熱を口金３０側に逃がすことができる。この結果、温度上昇によるＬＥＤチップ２２の発光効率の低下及び寿命の低下を抑制することができる。なお、支柱４０の詳細な構成については後述する。
【００５７】
（支持台）
支持台（支持板）５０は、支柱４０を支持する支持部材であり、図３に示すように、グローブ１０の開口部１１の開口端に接続されている。また、支持台５０は、グローブ１０の開口部１１を塞ぐように構成されている。本実施の形態において、支持台５０は、樹脂ケース６０に固定されている。
【００５８】
支持台５０は、金属材料によって構成されており、本実施の形態では、支柱４０と同様に、アルミニウムによって構成されている。これにより、支柱４０に熱伝導したＬＥＤモジュール２０の熱は、支持台５０に効率良く伝導する。この結果、温度上昇によるＬＥＤチップ２２の発光効率の低下及び寿命の低下を抑制することができる。
【００５９】
また、本実施の形態において、支持台５０は、段差部を有する円盤状部材で構成されている。当該段差部には、グローブ１０の開口部１１の開口端が当接されており、これにより、グローブ１０の開口部１１が塞がれている。また、段差部において、支持台５０と樹脂ケース６０とグローブ１０の開口部１１の開口端とは、接着剤によって固着されている。
【００６０】
（樹脂ケース）
樹脂ケース６０は、支柱４０と口金３０とを絶縁するとともに、点灯回路８０を収納して保持するための絶縁ケース（回路ホルダ）である。図２及び図３に示すように、樹脂ケース６０は、大径円筒状の第１ケース部６１と、小径円筒状の第２ケース部６２とからなる。第１ケース部６１の外表面は外気に露出しているので、樹脂ケース６０に伝導した熱は、主に第１ケース部６１から放熱される。第２ケース部６２は、外周面が口金３０の内周面と接触するように構成されており、本実施の形態では、第２ケース部６２の外周面には口金３０と螺合するための螺合部が形成されている。樹脂ケース６０は、例えば、ポリブチレンテレフタレート（ＰＢＴ）によって成形することができる。
【００６１】
（リード線）
２本のリード線７０は、ＬＥＤモジュール２０を点灯させるための電力を点灯回路８０からＬＥＤモジュール２０に供給するための電線である。図３に示すように、各リード線７０の一方側端はＬＥＤモジュール２０の給電部と電気的に接続されて、各リード線７０の他方側端は点灯回路８０の電力出力部と電気的に接続されている。
【００６２】
（点灯回路）
点灯回路８０は、ＬＥＤモジュール２０（ＬＥＤチップ２２）を点灯させるための回路ユニットであり、図３に示すように、樹脂ケース６０内に収納されている。具体的には、点灯回路８０は、複数の回路素子と、各回路素子が実装される回路基板とを有する。本実施の形態において、点灯回路８０は、口金３０から給電された交流電力を直流電力に変換し、２本のリード線７０を介して当該直流電力をＬＥＤモジュール２０（ＬＥＤチップ２２）に供給する。
【００６３】
なお、電球形ランプ１は、必ずしも点灯回路８０を備える必要はない。例えば、照明器具あるいは電池などから直接直流電力が供給される場合には、電球形ランプ１は、点灯回路８０を備えなくてもよい。また、点灯回路８０は、平滑回路に限られるものではなく、調光回路、昇圧回路などを適宜選択、組み合わせることもできる。
【００６４】
以上のようにして、電球形ランプ１が構成される。次に、本実施の形態に係る電球形ランプ１における支柱４０及び支持台５０の詳細構成について、図６及び図７を用いて説明する。図６は、本発明の実施の形態に係る電球形ランプにおける支柱及び支持台の構成を示す斜視図である。図７の（ａ）は、同支柱及び同支持台の構成を示す上面図であり、図７の（ｂ）は、同支柱及び同支持台の構成を示す正面図であり、図７の（ｃ）は、同支柱及び同支持台の構成を示す側面図である。
【００６５】
図６及び図７に示すように、支柱４０は、主軸部（第１ステム部）４１と、固定部（第２ステム部）４２とによって構成されている。本実施の形態において、主軸部４１と固定部４２とは一体成型されている。
【００６６】
主軸部４１は、断面積が一定の円柱部材である。主軸部４１の一方側の端部は、固定部４２に接続されており、主軸部４１の他方側の端部は、支持台５０に接続されている。
【００６７】
固定部４２は、主軸部４１とＬＥＤモジュール２０との間に位置し、主軸部４１に接続されるとともにＬＥＤモジュール２０に接続されている。
【００６８】
また、固定部４２は、ＬＥＤモジュール２０の基台２１と固定される固定面４２ａを有する。固定面４２ａは、固定部４２（支柱４０）と基台２１の裏面（ＬＥＤモジュール２０）との接触面である。
【００６９】
さらに、固定部４２は、ＬＥＤモジュール２０の基台２１に設けられた貫通孔２１ａと嵌合させるための突起部４２ｂを有する。突起部４２ｂは、固定面４２ａから突出するように設けられている。突起部４２ｂは、ＬＥＤモジュール２０の位置を規制する位置規制部として機能する。すなわち、突起部４２ｂは、ＬＥＤモジュール２０の配置方向を決めるように構成されており、本実施の形態では、突起部４２ｂの平面視形状は、長手方向が基台２１の長手方向と一致するとともに短手方向が基台２１の幅方向と一致する長方形である。
【００７０】
本実施の形態では、図７の（ａ）に示すように、固定面４２ａのＬＥＤモジュール２０の長手方向における長さＷ１が、主軸部４１のＬＥＤモジュール２０の長手方向における長さ（主軸部４１の直径φ）よりも長くなるように構成しつつ、固定面４２ａのＬＥＤモジュール２０の短手方向における長さＷ２が、主軸部４１のＬＥＤモジュール２０の短手方向における長さ（主軸部４１の直径φ）よりも短くなるように構成されている。例えば、Ｗ１＝１５ｍｍ、Ｗ２＝４．５ｍｍ、φ＝８ｍｍとすることができる。
【００７１】
これにより、支柱４０による遮光を抑制するためにＬＥＤモジュール２０の直下の支柱４０の部分の断面積を小さくしたとしても、支柱４０の包絡体積の低下を抑制することができる。すなわち、支柱４０によるＬＥＤモジュール２０の光の遮断を抑制するために固定面４２ａの長さＷ２を短くしたとしても、固定面４２ａの長さＷ１を長くすることによってＬＥＤモジュール２０との接触面積を確保することができる。これにより、ＬＥＤモジュール２０の放熱効果が低下することを抑制することができる。
【００７２】
また、本実施の形態では、図７の（ｃ）に示すように、本実施の形態において、固定部４２におけるＬＥＤモジュールの短手方向の両側面は、ＬＥＤモジュール２０に接続されるストレート面４２ｃと、ストレート面４２ｃに接続される湾曲面４２ｄとによって構成されている。
【００７３】
ストレート面４２ｃは、固定部４２の一の側面のうちＬＥＤモジュール２０側の面であって、支柱４０の軸（主軸部４１の軸）に平行な面である。すなわち、ストレート面４２ｃと支柱４０の軸との距離は口金側に向かって一定となっている。このように、固定部４２のうちＬＥＤモジュール２０の直下である部分にストレート面４２ｃを設けることにより、ＬＥＤモジュール２０が発する光のうち支柱４０側（口金３０側）に向かう光が支柱４０（固定部４２）によって反射してしまうことを抑制することができる。
【００７４】
湾曲面４２ｄは、固定部４２の前記一の側面のうちＬＥＤモジュール２０側とは反対側の面（主軸部４１側の面）であって、口金側（下側）に向かって支柱４０の軸から離れるように湾曲する面である。すなわち、湾曲面４２ｄと支柱４０の軸との距離は口金側に向かって漸次大きくなっている。このように、固定部４２のうちＬＥＤモジュール２０から離れた部分に湾曲面４２ｄを設けることにより、固定部をストレート面のみによって構成する場合と比べて支柱４０（固定部４２）の包絡体積を向上させることができる。また、湾曲面４２ｄを設けることによって、ＬＥＤモジュール２０の光を口金側に落とすことができるのでＬＥＤモジュール２０の光が支柱４０によって反射して再びＬＥＤモジュール２０に入射することを低減することができる。
【００７５】
このように、固定部４２の側面がストレート面４２ｃと湾曲面４２ｄとによって構成されているので、支柱４０によってＬＥＤモジュール２０の光が遮光されてしまうことを抑制しつつ、ＬＥＤモジュール２０の放熱効果を維持することができる。本実施の形態では、ストレート面４２ｃの支柱４０の軸方向長さＬ１を約０．７ｍｍとし、湾曲面４２ｄの支柱４０の軸方向長さＬ２を約５．４ｍｍとし、湾曲面４２ｄの曲率半径Ｒを１０ｍｍとした。
【００７６】
なお、湾曲面４２ｄの曲率半径Ｒを適宜変更することによって、固定部４２で反射する反射光の向きを所望に調整することができる。これにより、ＬＥＤモジュール２０が発する光のうち口金３０側に向かう光を調整することができるので、所望の配光特性を実現することができる。特に、グローブ１０の側面から口金側方向に反射させることで、広い配光角を実現することができる。また、ＬＥＤモジュール２０の光の再入射がしない程に固定部４２の支柱４０の軸方向長さＬ（Ｌ１＋Ｌ２）を長くすれば、湾曲面４２ｄを設ける必要がなくなる。
【００７７】
このように構成される支柱４０は、支持台５０の上面に固定されている。具体的には、支柱４０の主軸部４１と支持台５０の上面とは接着又はねじ等よって固定されている。また、支持台５０には、リード線７０を通すための貫通孔５１が設けられている。
【００７８】
次に、本実施の形態に係る電球形ランプ１におけるＬＥＤモジュール２０と支柱４０との接続関係について、図８を用いて詳細に説明する。図８は、本発明の実施の形態に係る電球形ランプにおけるＬＥＤモジュールと支柱との接続関係を説明するための図である。図８において、（ａ）は、支柱に固定された状態のＬＥＤモジュールの上面図であり、（ｂ）は、（ａ）のＢ−Ｂ’線に沿って切断した断面図であり、（ｃ）は、（ａ）のＣ−Ｃ’線に沿って切断した断面図である。なお、図８において、金属配線２４は図示していない。
【００７９】
図８の（ａ）に示すように、ＬＥＤモジュール２０及び支柱４０は、平面視したときに、支柱４０における固定部４２の固定面４２ａがＬＥＤチップ２２と重ならないように配置されている。本実施の形態では、固定部４２の固定面４２ａがＬＥＤモジュール２０の発光部である封止部材２３と重ならないように構成されている。すなわち、支柱４０は、固定部４２の固定面４２ａがＬＥＤチップ２２及び封止部材２３の下方に位置しないように配置されている。言い換えると、支柱４０は、固定部４２の固定面４２ａがＬＥＤモジュール２０の非発光部と重なるように配置されている。
【００８０】
また、図８の（ｂ）及び（ｃ）に示すように、ＬＥＤモジュール２０は、基台２１の表面（封止部材２３が形成された面）をグローブ１０の頂部に向けて配置される。本実施の形態において、ＬＥＤモジュール２０は、基台２１の裏面（封止部材２３が形成されていない面）と支柱４０の固定部４２の固定面４２ａとを面接触させて、基台２１を支柱４０に直接固定している。なお、支柱４０の突起部４２ｂと基台２１の貫通孔２１ｂとが嵌合されており、これにより、ＬＥＤモジュール２０の位置が規制されてＬＥＤモジュール２０の姿勢が固定されている。
【００８１】
なお、図示されていないが、基台２１の裏面と固定部４２の固定面４２ａとの間には接着剤が塗布されており、これにより、支柱４０と基台２１とが固着されている。接着剤としては、例えば、シリコーン樹脂からなる接着剤を用いることができるが、ＬＥＤモジュール２０の熱を支柱４０に効率良く伝導させるために、高熱伝導率の接着剤を用いることが好ましい。例えば、シリコーン樹脂に金属微粒子を分散させること等によって熱伝導率を高くすることができる。
【００８２】
次に、本実施の形態に係る電球形ランプ１の作用効果について、図９を用いて説明する。図９は、本発明の実施の形態に係る電球形ランプの点灯時の状態を示す図である。
【００８３】
図９に示すように、電球形ランプ１が点灯すると、ＬＥＤモジュール２０のＬＥＤチップ２２が発光し、ＬＥＤモジュール２０は周囲に光を放射する。具体的には、ＬＥＤチップ２２から出射した光は、ＬＥＤチップ２２の上方、側方及び下方に向かって放射され、封止部材２３によって白色光となってＬＥＤモジュール２０を中心として全周囲に放射される。このうち、基台２１の裏面側から放出される光の一部は、支柱４０によって反射して遮られることになる。つまり、支柱４０によって影が生じることになる。
【００８４】
本実施の形態では、平面視において（グローブ１０の頂部から口金３０側に向かって見たときに）、支柱４０における固定部４２の固定面４２ａがＬＥＤチップ２２と重ならないように構成されている。すなわち、ＬＥＤモジュール２０のうち最も光出力の強いＬＥＤチップ２２の直下には支柱４０が存在しない。これにより、ＬＥＤモジュール２０の光が支柱４０によって遮られてしまうことを抑制することができるので、ＬＥＤモジュール２０の口金側への光の取り出し効率を向上させることができる。
【００８５】
特に、本実施の形態では、平面視において、支柱４０の固定面４２ａが、発光部となる封止部材２３と重ならないように構成されている。これにより、ＬＥＤモジュール２０の光が支柱４０によって遮られてしまうことを一層抑制することができるので、ＬＥＤモジュール２０の口金側への光の取り出し効率をさらに向上させることができる。
【００８６】
また、本実施の形態では、固定部４２のＬＥＤモジュール２０の直下の側面がストレート面４２ｃであり、固定部４２のストレート面４２ｃに下部に続く側面が湾曲面４２ｄとなっている。これにより、ストレート面４２ｃによって支柱４０によるＬＥＤモジュール２０の遮光を抑制しつつ、湾曲面４２ｄによって包絡体積を確保してＬＥＤモジュール２０の放熱効果を確保することができる。
【００８７】
さらに、湾曲面４２ｄを設けることによって、ＬＥＤモジュール２０の光が支柱４０によって反射して再びＬＥＤモジュール２０に入射することを低減することができる。すなわち、固定部４２に湾曲面４２ｄが存在せずにストレート面４２ｃのみからなる場合、固定部４２と主軸部４１との間には基台２１と平行な面を有する段差ができてしまい、この段差の面（主軸部４１の露出上面）によってＬＥＤモジュール２０の光が反射して再びＬＥＤモジュール２０に再入射してしまう。これに対して、本実施の形態のように、湾曲面４２ｄを設けることによってＬＥＤモジュール２０の光を湾曲面４２ｄで反射させて支柱４０の下方に落とすことができるので、支柱４０の反射によるＬＥＤモジュール２０の光の再入射を抑制することができる。これにより、光再入射による色ずれ等を抑制することができる。
【００８８】
ここで、本発明の実施の形態に係る電球形ランプ１において、固定部４２の長さＬと光束との関係について、図１０を用いて説明する。図１０は、本発明の実施の形態に係る電球形ランプにおける固定部の長さと光束との関係を説明するための図である。なお、図１０において、横軸の固定部の長さＬとは、図７の（ｃ）における固定部４２の支柱４０の軸方向長さＬ（Ｌ１＋Ｌ２）のことである。また、縦軸の光束とは、ＬＥＤモジュール２０の口金側への光束を示しており、Ｌ＝０のときを１００％としている。
【００８９】
図１０に示すように、固定部４２の長さＬを大きくしていくと、Ｌ＝０の場合（固定部無しの場合）と比べて光束が増加することが分かる。一方、固定部４２の長さＬが６ｍｍを超えると、光束は増加しなくなることも分かる。これは、光束を増加させるには、ＬＥＤモジュール２０直下の所定範囲内に支柱４０が存在しないように構成すればよいということであり、図１０に示すように、基台２１の下方６ｍｍ以内には支柱４０が存在しないように構成することが好ましい。
【００９０】
（変形例）
次に、上記実施の形態に係る電球形ランプの変形例について、図面を参照しながら以下説明する。以下に説明する各変形例に係る電球形ランプと上記の実施の形態に係る電球形ランプ１とは、支柱の固定部の形状が異なる。なお、それ以外の構成は上記の実施の形態と同じであるので詳しい説明は省略する。
【００９１】
（変形例１）
まず、本発明の変形例１について、図１１Ａを用いて説明する。図１１Ａは、本発明の変形例１に係る電球形ランプにおけるＬＥＤモジュール及び支柱の構成を示す図である。
【００９２】
図１１Ａに示すように、本発明の変形例１に係る電球形ランプでは、支柱４０Ａの固定部４２Ａが円錐台形状であり、固定部４２Ａの口金側に向かって側面が支柱４０Ａの軸から離れるように傾斜する傾斜面（テーパ面）となっている。すなわち、固定部４２Ａの表面と支柱４０Ａの軸との距離は口金側に向かって漸次大きくなっている。
【００９３】
本変形例においても、ＬＥＤチップ２２及び封止部材２３の下方に支柱４０Ａが存在しないので、上記の実施の形態と同様に、ＬＥＤモジュール２０の口金側への光の取り出し効率を向上させることができる。
【００９４】
但し、本変形例では、固定部４２Ａの固定面４２ａの面積が上記の実施の形態における固定部４２の固定面４２ａの面積よりも小さくなっているので、上記実施の形態と比べてＬＥＤモジュール２０の放熱性が若干低下する。
【００９５】
（変形例２）
次に、本発明の変形例２について、図１１Ｂを用いて説明する。図１１Ｂは、本発明の変形例２に係る電球形ランプにおけるＬＥＤモジュール及び支柱の構成を示す図である。
【００９６】
図１１Ｂに示すように、本発明の変形例２に係る電球形ランプでは、支柱４０Ｂの固定部４２Ｂが円柱部４２Ｂ１と円錐台部４２Ｂ２とによって構成されている。円柱部４２Ｂ１の直径は、円錐台部４２Ｂ２の上面の直径と同じであって、円錐台部４２Ｂ２の下面の直径よりも小さい。また、円錐台部４２Ｂ２の下面の直径は、主軸部４１の直径と同じである。なお、円錐台部の側面は、支柱４０Ｂの軸から離れるように傾斜する傾斜面（テーパ面）となっている。
【００９７】
本変形例においても、ＬＥＤチップ２２及び封止部材２３の下方に支柱４０Ｂが存在しないので、ＬＥＤモジュール２０の口金側への光の取り出し効率を向上させることができる。しかも、本変形例では、支柱４０ＢにおけるＬＥＤモジュール２０と固定される部分が小径の円柱部４２Ｂ１であるので、変形例１と比べて、ＬＥＤモジュール２０の口金側への光の取り出し効率をさらに向上させることができる。
【００９８】
但し、本変形例においても変形例１と同様に固定部４２Ｂの固定面４２ａの面積が上記の実施の形態における固定部４２の固定面４２ａの面積よりも小さくなっているので、本変形例では、上記実施の形態と比べてＬＥＤモジュール２０の放熱性が若干低下する。
【００９９】
（変形例３）
次に、本発明の変形例３について、図１１Ｃを用いて説明する。図１１Ｃは、本発明のの変形例３に係る電球形ランプにおけるＬＥＤモジュール及び支柱の構成を示す図である。
【０１００】
図１１Ｃに示すように、本発明の変形例３に係る電球形ランプでは、支柱４０Ｃの固定部４２Ｃ全体が小径の円柱部材によって構成されている。なお、本変形例における固定部４２Ｃの直径は、変形例２における円柱部４２Ｂ１の直径と同じである。
【０１０１】
本変形例においても、ＬＥＤチップ２２及び封止部材２３の下方に支柱４０Ｃが存在しないので、ＬＥＤモジュール２０の口金側への光の取り出し効率を向上させることができる。しかも、本変形例では、支柱４０Ｃにおける固定部４２Ｃ全体が小径となっているので、変形例２と比べて、ＬＥＤモジュール２０の口金側への光の取り出し効率をさらに向上させることができる。
【０１０２】
但し、本変形例では、変形例１、２と比べて固定部４２Ｃの体積が小さくなっているので、変形例１、２と比べてＬＥＤモジュール２０の放熱性が若干低下する。
【０１０３】
（変形例４）
次に、本発明の変形例４について、図１１Ｄを用いて説明する。図１１Ｄは、本発明の変形例４に係る電球形ランプにおけるＬＥＤモジュール及び支柱の構成を示す図である。
【０１０４】
図１１Ｄに示すように、本発明の変形例４に係る電球形ランプでは、固定部４２ＤのＬＥＤモジュール２０の長手方向の長さが主軸部４１の直径よりも長くなるように構成されている。すなわち、本変形例では、変形例１において、固定部がＬＥＤモジュール２０の長手方向に延設された構成となっている。
【０１０５】
本変形例においても、ＬＥＤチップ２２及び封止部材２３の下方に支柱４０Ｄが存在しないので、ＬＥＤモジュール２０の口金側への光の取り出し効率を向上させることができる。しかも、本変形例では、固定部４２Ｄが延設されているので、固定面４２ａの面積が大きくなっているので、変形例１〜３のように放熱性が低下してしまうことを抑えることができる。
【０１０６】
このように本変形例では、実施の形態１と同様に、支柱４０ＤによってＬＥＤモジュール２０の光が遮光されてしまうことを抑制しつつ、ＬＥＤモジュール２０の放熱効果を維持することができる。
【０１０７】
以上、本発明に係る電球形ランプについて、実施の形態及び変形例に基づいて説明したが、本発明は、これらの実施の形態及び変形例に限定されるものではない。
【０１０８】
例えば、上記の実施の形態及び変形例において、ＬＥＤモジュール２０は、青色ＬＥＤと黄色蛍光体とによって白色光を放出するように構成したが、これに限らない。例えば、赤色蛍光体及び緑色蛍光体を含有する蛍光体含有樹脂を用いて、これと青色ＬＥＤと組み合わせることによりに白色光を放出するように構成しても構わない。
【０１０９】
また、ＬＥＤチップ２２は、青色以外の色を発光するＬＥＤを用いても構わない。例えば、ＬＥＤチップ２２として紫外線発光のＬＥＤチップを用いる場合、蛍光体粒子としては、三原色（赤色、緑色、青色）に発光する各色蛍光体粒子を組み合わせたものを用いることができる。さらに、蛍光体粒子以外の波長変換材を用いてもよく、例えば、波長変換材として、半導体、金属錯体、有機染料、顔料など、ある波長の光を吸収し、吸収した光とは異なる波長の光を発する物質を含んでいる材料を用いてもよい。
【０１１０】
また、上記の実施の形態及び変形例において、発光素子としてＬＥＤを例示したが、半導体レーザ等の半導体発光素子、又は、有機ＥＬ（Ｅｌｅｃｔｒｏ  Ｌｕｍｉｎｅｓｃｅｎｃｅ）や無機ＥＬ等のＥＬ素子、その他の固体発光素子を用いてもよい。
【０１１１】
また、上記の実施の形態及び変形例において、ＬＥＤモジュール２０は基台２１上にＬＥＤチップを直接実装したＣＯＢ型の構成としたが、これに限らない。例えば、樹脂成形された容器（キャビティ）の中にＬＥＤチップを実装して当該容器の凹部内を蛍光体含有樹脂によって封入したパッケージ型、つまり表面実装型（ＳＭＤ：Ｓｕｒｆａｃｅ  Ｍｏｕｎｔ  Ｄｅｖｉｃｅ）のＬＥＤ素子を用い、このＳＭＤ型のＬＥＤ素子を基板上に複数個実装することで構成されたＬＥＤモジュールを用いても構わない。
【０１１２】
また、本発明は、上記の電球形ランプを備える照明装置として実現することもできる。例えば、図１２に示すように、本発明に係る照明装置２として、上記の電球形ランプ１と、当該電球形ランプ１が取り付けられる点灯器具（照明器具）３とを備えるように構成してもよい。この場合、点灯器具３は、電球形ランプ１の消灯及び点灯を行うものであり、例えば、天井に取り付けられる器具本体４と、電球形ランプ１を覆うランプカバー５とを備える。このうち、器具本体４は、電球形ランプ１の口金３０が装着されるとともに電球形ランプ１に給電を行うソケット４ａを有する。なお、ランプカバー５の開口部に透光性プレートを設けてもよい。
【０１１３】
その他、本発明の趣旨を逸脱しない限り、当業者が思いつく各種変形を本実施の形態及び変形例に施したもの、又は、実施の形態及び変形例における構成要素を組み合わせて構築される形態も、本発明の範囲内に含まれる。
【産業上の利用可能性】
【０１１４】
本発明は、従来の白熱電球等を代替する電球形ランプ等として有用であり、照明装置等において広く利用することができる。
【符号の説明】
【０１１５】
１  電球形ランプ
２  照明装置
３  点灯器具
４  器具本体
４ａ  ソケット
５  ランプカバー
１０  グローブ
１１  開口部
２０  ＬＥＤモジュール
２１  基台
２１ａ、２１ｂ、５１  貫通孔
２２  ＬＥＤチップ
２２ａ  サファイア基板
２２ｂ  窒化物半導体層
２２ｃ  カソード電極
２２ｄ  アノード電極
２２ｅ、２２ｆ  ワイヤーボンド部
２３  封止部材
２４  金属配線
２５  金ワイヤー
２６  チップボンディング材
３０  口金
４０、４０Ａ、４０Ｂ、４０Ｃ、４０Ｄ  支柱
４１  主軸部
４２、４２Ａ、４２Ｂ、４２Ｃ、４２Ｄ  固定部
４２Ｂ１  円柱部
４２Ｂ２  円錐台部
４２ａ  固定面
４２ｂ  突起部
４２ｃ  ストレート面
４２ｄ  湾曲面
５０  支持台
６０  樹脂ケース
６１  第１ケース部
６２  第２ケース部
７０  リード線
８０  点灯回路
１００、２００  電球形ＬＥＤランプ
１１０  カバー
１２０、２２０  ＬＥＤモジュール
１３０、２３０  口金
１６０  絶縁部材
１８０  点灯回路
１９０  外郭部材
１９１  周部
１９２  光源取り付け部
１９３  凹部
２１０  グローブ
２４０  支柱
【要約】
グローブ（１０）と口金（３０）とを有する電球形ランプ（１）であって、グローブ（１０）の内方に向かって延びるように設けられた金属製の支柱（４０）と、グローブ（１０）内に配置され、支柱（４０）に固定されたＬＥＤモジュール（２０）とを備え、ＬＥＤモジュール（２０）は、透光性の基台（２１）と基台（２１）の上に実装されたＬＥＤチップ（２２）とを有し、支柱（４０）は、ＬＥＤモジュール（２０）の基台（２１）を固定するための固定面（４２ａ）を有し、ＬＥＤモジュール（２０）及び支柱（４０）は、平面視したときに、固定面（４２ａ）とＬＥＤチップ（２２）とが重ならないように配置されている。【図１】
0005420118.tif 000002
【図２】
0005420118.tif 000003
【図３】
0005420118.tif 000004
【図４】
0005420118.tif 000005
【図５】
0005420118.tif 000006
【図６】
0005420118.tif 000007
【図７】
0005420118.tif 000008
【図８】
0005420118.tif 000009
【図９】
0005420118.tif 000010
【図１０】
0005420118.tif 000011
【図１１Ａ】
0005420118.tif 000012
【図１１Ｂ】
0005420118.tif 000013
【図１１Ｃ】
0005420118.tif 000014
【図１１Ｄ】
0005420118.tif 000015
【図１２】
0005420118.tif 000016
【図１３】
0005420118.tif 000017
【図１４】
0005420118.tif 000018